(57)【要約】【解決課題】 乳房体の垂れ下がりを防止し，無理のない範囲でバストアップが実現され，うつ伏せ状態となった時の乳房体を固定できるブラジャーを製造する方法を提供する。【解決手段】 対象（１１）の乳頭（１３）が鉛直下方向へ向いた状態で，対象（１１）の乳房体（１５）を含む部位の形状を把握する工程を含む，ブラジャーの製造方法。乳頭（１３）が鉛直下方向へ向いた状態の例は，対象が搭載台（２１）に固定され，対象の背中が対象の乳頭（１３）に比べて搭載台方向に存在する状態である。
2018074436.tif 000002
【特許請求の範囲】
【請求項１】
対象（１１）の乳頭（１３）が鉛直下方向へ向いた状態で，前記対象（１１）の乳房体（１５）を含む部位の形状を把握する工程を含む，ブラジャーの製造方法。
【請求項２】
請求項１に記載のブラジャーの製造方法であって，  前記乳頭（１３）が鉛直下方向へ向いた状態は，前記対象が搭載台（２１）に固定され，前記対象の背中が前記対象の乳頭（１３）に比べて前記搭載台方向に存在する状態である，ブラジャーの製造方法。
【請求項３】
請求項１に記載のブラジャーの製造方法であって，  前記対象（１１）の乳房体（１５）を含む部位の形状を把握する工程が，  トップバスト及びアンダーバストを採寸する工程を含む，  ブラジャーの製造方法。
【請求項４】
請求項１に記載のブラジャーの製造方法であって，  前記対象（１１）の乳房体（１５）を含む部位の形状を把握する工程が，  前記対象の乳房体を含む部位を３次元スキャナにより撮影する工程を含む，  ブラジャーの製造方法。
【請求項５】
請求項１に記載のブラジャーの製造方法であって，  前記対象がうつ伏せ状態となった時の前記対象の乳房体の形状に基づくブラジャーの製造方法。
【請求項６】
対象の乳房体を含む部位を３次元スキャナにより撮影する工程を含む，ブラジャーの製造方法。  
【発明の詳細な説明】
【技術分野】
【０００１】  本発明は，ブラジャーの製造方法に関する。より詳しく説明すると，本発明は，うつ伏せ状態となった時の対象の乳房体の形状に合わせたブラジャーの製造方法に関する。
【背景技術】
【０００２】  女性のバストの形状に合わせて作成するオーダーメードブラジャーが知られている。例えば，特開２０１５−１０５４６０号公報には，３次元ブラジャーカップおよびその製造方法が記載されている。
【先行技術文献】
【特許文献】
【０００３】
【特許文献１】特開２０１５−１０５４６０号公報
【発明の概要】
【発明が解決しようとする課題】
【０００４】  図５は，オーダーメードブラの採寸の様子を示す概念図である。オーダーメードブラジャーを製造する際，通常，対象のアンダーバスト及びトップバストのサイズを図り，そのサイズの差に基づいてカップを決定する。オーダーメードブラジャーは，通常女性の背筋が伸びた状態で採寸される。すると，女性の乳房体は，その自重により下方で垂れさがった状態で採寸されることとなる。したがって，女性の背筋が伸びた状態又は乳房体がその自重により下方へ垂れ下がる状態のバスト形状に基づいてオーダーメードブラジャーを製造することとなり，乳房体がより垂れ下がるように矯正することにつながる。【０００５】  また，癌患者に対して．側臥位や伏臥位（うつ伏せ）となった状態で，放射線や粒子線を照射し治療を行う場合がある。この場合，乳房が固定されていなければ，患者の体位が変化した際に，乳房に放射線などが照射されてしまうという問題もある。【０００６】  そこで，本発明は，乳房体の垂れ下がりを防止し，無理のない範囲でバストアップが実現されたブラジャーを製造する方法を提供することを目的とする。【０００７】  また，本発明は，うつ伏せ状態となった時の乳房体を固定できるブラジャーを製造する方法を提供することを目的とする。
【課題を解決するための手段】
【０００８】  本発明は，乳頭が下方を向いている状態において，乳房体を含むバストの形状を把握することで，垂れ下がっていない状態の乳房体の形状に基づいたオーダーメードブラジャーを製造することができるという知見に基づく。【０００９】  また，癌の放射線治療では，仰向け状態ではなく，側臥位や伏臥位（うつ伏せ）となった状態で，放射線などが照射されることがあるので，うつ伏せ状態におけるバストの形状に基づいたオーダーメードブラジャーを用いれば，側臥位や伏臥位においても乳房体を効果的に固定できるという知見に基づく。【００１０】  本発明は，ブラジャーの製造方法に関する。この方法は，対象１１の乳頭１３が鉛直下方向へ向いた状態で，対象１１の乳房体１５を含む部位の形状を把握する工程を含む。【００１１】  乳頭１３が鉛直下方向へ向いた状態の例は，対象が搭載台２１に固定され，対象の背中が対象の乳頭１３に比べて搭載台方向に存在する状態である。【００１２】  対象１１の乳房体１５を含む部位の形状を把握する工程の例は，トップバスト及びアンダーバストを採寸する工程を含んでもよい。この際に，アンダーバストから乳頭までの距離を合わせて測定してもよい。【００１３】  対象１１の乳房体１５を含む部位の形状を把握する工程が，対象の乳房体を含む部位を３次元スキャナにより撮影する工程を含んでもよい。【００１４】  この方法は，対象がうつ伏せ状態となった時の対象の乳房体の形状に基づくブラジャーの製造方法といえる。【００１５】  なお，本発明は，対象の乳房体を含む部位を３次元スキャナにより撮影する工程を含む，ブラジャーの製造方法をも提供する。例えば，バストサイズが小さい癌患者などでは，体位が変化しても乳房体の移動がそれほど生じない。このような場合，乳房体の形状にフィットしたブラジャーを製造できれば，体位が変動しても適切に乳房体を固定できるブラジャーを製造できることとなる。
【発明の効果】
【００１６】  本発明は，乳房体の垂れ下がりを防止し，無理のない範囲でバストアップが実現されたブラジャーを製造する方法を提供できる。【００１７】  また，本発明は，うつ伏せ状態となった時の乳房体を固定できるブラジャーを製造する方法を提供できる。
【図面の簡単な説明】
【００１８】
【図１】図１は，対象の乳頭が鉛直下方向へ向いた状態を示す概念図である。
【図２】図２は，オーダーメードブラジャーの採寸装置の例を示す概念図である。
【図３】図３は，対象が搭載台に搭載された際の様子を示す概念図である。
【図４】図４は，保持具を説明するための概念図である。
【図５】図５は，採寸の様子を示す概念図である。
【発明を実施するための形態】
【００１９】  以下，図面を用いて本発明を実施するための形態について説明する。本発明は，以下に説明する形態に限定されるものではなく，以下の形態から当業者が自明な範囲で適宜修正したものも含む。
【００２０】  本発明は，ブラジャーの製造方法に関する。ブラジャーは，通常２つの乳房体を含む部位を保持するための女性用装身具（下着）である。ブラジャー自体の基本構成は公知であり，通常，２つの乳房体を覆う部位と，それらを身体の後方で連結する部位とを有している。ブラジャーの製造方法は，対象１１の乳頭１３が鉛直下方向へ向いた状態で，対象１１の乳房体１５を含む部位の形状を把握する工程を含む。図１は，対象の乳頭が鉛直下方向へ向いた状態を示す概念図である。対象１１の例は女性である。対象１１の別の例は，癌に罹患した女性である。対象１１は胸部の大きな男性であっても構わない。
【００２１】  乳頭１３が鉛直下方向へ向いた状態とは，乳頭１３が下方向を向いていれば，必ずしも乳頭１３が鉛直下向きである必要はない。具体的には，乳頭１３が鉛直下方向とは，背中よりも乳頭が下になっている状態（例えばうつ伏せの状態であって，乳房体が押されて変形していない状態）であればよい。乳頭１３が鉛直下方向へ向いた状態の例は，対象が搭載台２１に固定され，対象の背中が対象の乳頭１３に比べて搭載台方向に存在する状態であり，乳頭が背中よりも下方に存在するときである。具体的には，対象１１が搭載台２１に仰向けで固定される。この際，対象１１の，頭部，肩部，胸部，腹部，腕及び足のいずれか又は２つ以上の個所が固定用の治具（ベルトなど）によって搭載台２１と固定されてもよい。次に，対象１１が搭載台２１に固定された状態で，搭載台２１が傾斜し，又は半回転し，対象１１が傾斜した状態（腹臥位）又はうつ伏せ状態（もっとも背中が搭載台２１に固定され，体の前方が解放された状態）とされる。このようにして，対象が搭載台２１に固定され，対象の背中が対象の乳頭１３に比べて搭載台方向に存在する状態が達成される。このような設備の例は，癌治療のための回転ガントリである。
【００２２】  図２は，オーダーメードブラジャーの採寸装置の例を示す概念図である。図２に示されるように，この装置３１は，対象を載置して必要な体位で固定するための載置台２１（３２），載置台３２を支持するための本体３３，載置台３２を回転させるための図示しないモータ等の駆動を制御する駆動制御部３５を含む。載置台３２と本体３３とは分離できるようにされていてもよい。本体３３は，土台として機能する基台３６，搭載台３２を回転させるための回転機構を内蔵した前側環状部３７，後側環状部３８，上側梁３９，及び搭載台３２を搭載して保持するための下側梁４０を含む。駆動制御部３５は，搭載台３１の確度を制御する制御部の他，押圧プレート４７を上下させ，押圧プレート４７の位置を制御する制御部を有している。上側梁３９，及び下側梁４０の４隅は，それぞれ長尺状のボールネジ４８が取り付けられている。図に示す例では，ボールネジは蛇腹パイプで被覆されている。ボールネジ４８が回転すると，押圧プレート４７が上下に移動できるようにされている。搭載台３２の底板の下には弾性部材５０が設けられている。押圧プレート４７の上面には補強フレーム５１が取り付けられておいる。図に示す例では，補強フレーム５１の一部が押圧プレート１７の左右から垂れ下がった状態となっている。
【００２３】  図３は，対象が搭載台に搭載された際の様子を示す概念図である。対象１１が，搭載台３２の上部に仰向けに載る。その状態で，図示しないベルトなどで，対象を搭載台３２と固定する。搭載台３２を下側梁４０の上面をスライドさせ，対象を前側環状部３７の前方から内部方向へ送り，後側環状部３８の方まで移動させる。次に，駆動制御部３５は，ボールネジ３８を駆動し，押圧プレート４７を，対象をゆるく押圧できる適切な位置まで移動させる。次に，駆動制御部３５は，モータを駆動させることで，搭載台３２を回転させ，これにより対象を回転させることができる。回転は，前側環状部３７及び後側環状部３８の内部の円と同様の円方向（対象の頭部から足部を軸として，その軸を中心とした回転方向，又はその軸と平行な軸を軸とした回転方向）であってもよい。対象が，適切な位置（例えば，対象の乳頭が鉛直下方向へ向いた状態）で，対象１１の乳房体１５を含む部位の形状を把握する。対象１１の乳房体１５を含む部位（胸部）の形状を把握する方法は，ＣＴ−スキャン等であってもよい。
【００２４】  図３に示す例では，乳房体を保持するための保持具が設けられている。図４は，保持具を説明するための概念図である。保持具５２は，アーム部５３及び固定具５５を介して，搭載台３２又は補強フレーム５１に取り付けられている。アーム部５３は回転や伸縮を行うことができる。また，固定具は，補強フレーム５１を移動可能であってもよい。また，保持具５１の替りに撮影部（例えば，カメラ）を設けてもよい。この場合，撮影部が，移動しつつ，対象の胸部を撮影することで，対象の胸部の立体像を復元できる。
【００２５】  対象１１の乳房体１５を含む部位の形状を把握する工程の例は，トップバスト及びアンダーバストを採寸する工程を含んでもよい。この場合，対象１１が空中でうつ伏せ状態となった際に，採寸者が，対象１１のトップバスト及びアンダーバスを採寸するなど，ブラジャーを作成するために必要となる寸法を採寸してもよい。
【００２６】  対象１１の乳房体１５を含む部位の形状を把握する工程が，対象の乳房体を含む部位を撮影する工程を含んでもよい。撮影は３次元スキャナやＸ線撮影などであってもよいし，複数個所から撮像し，撮像画像を合成することで対象の乳房体を含む部位を立体的に再現するものであってもよい。３次元スキャナの例は，ＣＴ−スキャンである。ＣＴ−スキャンなどの撮影技術を用いることで，対象のバスト形状を３次元的に把握できる。このため，この方法は，例えば，乳頭の形状を把握し，乳頭の形状を反映したブラジャーを製造するようにしてもよい。この場合，この方法で製造されるブラジャーは，乳房体の形状を反映した窪みのみならず，乳頭の形状も反映した窪部が存在し，その窪部に乳頭及び乳房体がフィットすることとなる。このような形状を有するので，このブラジャーは，乳房体が変動することを効果的に防止できることとなる。また，ＣＴ−スキャンを行うことで，対象に乳がんがあるか否かを同時に診断することもできる。さらには，対象のバスト形状と乳がんの位置を３次元的に把握できれば，乳房体を固定しつつ，対象組織の採取を行うこともできる。また，対象組織を採取するための孔部を有するブラジャーや，放射線等を照射する個所を明記した，又は放射線等が照射される部分が孔部となるブラジャーを製造できることとなる。さらには，ＣＴ−スキャンで得た胸部の３次元データを用いて，胸部の３次元模型を作成することもできる。すると，ブラジャーのサンプルを作成し，３次元模型にフィッティングさせることができる。また，３次元模型を用いて，治療計画を立てることができるようになる。
【００２７】  この方法は，対象がうつ伏せ状態となった時の対象の乳房体の形状に基づくブラジャーの製造方法といえる。下着には，矯正用下着といった医療用に用いられるものも当然存在する。本発明に基づいて製造されるブラジャーは，乳房体を好ましい状態に固定でき，フィット感も高いので精神疾患を含め各種疾患の症状の改善にも有効であることが想定される。もっとも，本発明の製造方法は，医師による治療又は診断として用いられるものではなく，装身具（下着）であるブラジャーの製造のために用いられるものであることが好ましい。
【００２８】  上記のとおり，胸部の形状やバスト形状を把握した後は，公知の方法に従って，ブラジャーを製造すればよい。対象の乳房体を含む部位の形状が電子的に取得された場合は，得られた形状情報に従って，ブラジャーが製造されるようにされてもよい。このようなブラジャーの製造装置は，コンピュータによって制御されていればよい。コンピュータは，入出力部，制御部，演算部及び記憶部を有している。そして，各要素は，情報の授受を行うことができるようにされている。そして，記憶部には，ブラジャーの素材，形状，図柄，色，孔部の位置といったブラジャーを製造するために必要な情報が記憶されている。コンピュータに，上記ブラジャーを製造するために必要な情報が入力される。この入力は，対象１１がモニタに表示された各情報から好みの情報を選択することで入力されるようにされてもよい。そして，ＣＴ−スキャンにより撮影された対象１１の胸部の形状等のデータがコンピュータに入力される。すると，制御部は，記憶部から必要な制御プログラムを読み出し，制御プログラムの指令に基づいて，入力された胸部の形状等のデータ及びブラジャーを製造するために必要な情報を用いて，演算部において必要な演算処理を行わせる。このようにして，コンピュータは，ブラジャーを製造するための寸法データを含め，必要な情報求め，記憶部に適宜記憶する。このようにして，ブラジャーの寸法を含めた設計図が得られる。作成者は，得られた設計図に従って，ブラジャーを製造してもよい。また，コンピュータは，織機等に求めた必要データを送信し，織機をしてブラジャーを製造させてもよい。
【００２９】  本発明は，対象の乳房体を含む部位を３次元スキャナにより撮影する工程を含む，ブラジャーの製造方法をも提供する。例えば，バストサイズが小さい癌患者などでは，体位が変化しても乳房体の移動がそれほど生じない。このような場合，乳房体の形状にフィットしたブラジャーを製造できれば，体位が変動しても適切に乳房体を固定できるブラジャーを製造できることとなる。
【産業上の利用可能性】
【００３０】  本発明は，装身具の分野で利用されうる。
【符号の説明】
【００３１】  １１  対象  １３  乳頭  １５  乳房体  ２１  搭載台
【図１】
2018074436.tif 000003
【図２】
2018074436.tif 000004
【図３】
2018074436.tif 000005
【図４】
2018074436.tif 000006
【図５】
2018074436.tif 000007
【国際調査報告】
2018074436.tif 000008
2018074436.tif 000009
2018074436.tif 000010
2018074436.tif 000011